(57)【要約】      （修正有）【課題】包装した状態でも製品の演出効果を高めることができる柔軟製品の包装パックを提供する。【解決手段】箱体１には、開口２に装着され、自身の一部が開口２から外側に膨出し、開口２周囲の箱体１裏側に他の一部が隠れるように収容される透視性の外カバー４と、外カバー４の裏面側であり、外カバー４とは所定の隙間を介して配置され、外カバー４との間に柔軟製品を外側への膨出状態で保持する内カバー５と、を備える。さらに、外カバー４と内カバー５の間に柔軟製品の少なくとも一部を配置して箱体１に収容することにより、箱体１の開口２から外側へ膨出する外カバー４の内面に沿って同様に膨出する柔軟製品の一部が外カバー４の一部を介して外部から視認される。【選択図】図３Ａ
0003177661.tif 000002
【実用新案登録請求の範囲】
【請求項１】
柔軟製品を収容する箱体とその箱体に収容された前記柔軟製品の一部を外部から視認可能にする開口を備えた柔軟製品の包装パックであって、
前記箱体には、前記開口に装着され、自身の一部が前記開口から外側に膨出し、その開口周囲の前記箱体裏側に他の一部が隠れるように収容される透視性の外カバーと、該外カバーの裏面側であり、その外カバーとは所定の隙間を介して配置され、該外カバーとの間に前記柔軟製品を外側への膨出状態で保持する内カバーと、を備え、
前記外カバーと前記内カバーの間に前記柔軟製品の少なくとも一部を配置して前記箱体に収容することにより、前記箱体の開口から外側へ膨出する前記外カバーの内面に沿って同様に膨出する前記柔軟製品の一部が該外カバーの一部を介して外部から視認されることを特徴とする柔軟製品の包装パック。
【請求項２】
前記開口から膨出した前記外カバーに対向する前記内カバーの部位には、前記箱体の外側に向かって突出する凸部が形成される請求項１に記載の柔軟製品の包装パック。
【請求項３】
前記内カバーの前記凸部が形成された部位の裏面が凹部である請求項２に記載の柔軟製品の包装パック。
【請求項４】
前記外カバーと前記内カバーとが互いに対応する外側への膨出形状を有する請求項１ないし３のいずれか１項に記載の柔軟製品の包装パック。
【請求項５】
前記開口は上から見て円形状又は楕円状をなし、前記外カバーは凸曲面状に前記開口から外側に膨出する請求項１ないし４のいずれか１項に記載の柔軟製品の包装パック。
【請求項６】
前記柔軟製品は下着であり、前記外カバーが前記開口から外側に膨出する部位に、その下着の着用時に膨出する部位が対応して保持される請求項１ないし５のいずれか１項に記載の柔軟製品の包装パック。
【考案の詳細な説明】
【技術分野】
【０００１】
本考案は、柔軟製品の包装パックに関する。
【背景技術】
【０００２】
包装パックに透視窓を設けて外部から内容物を確認できる包装パックが特許文献１で開示されている。
【先行技術文献】
【特許文献】
【０００３】
【特許文献１】特開平５−１３２０５７号公報
【考案の概要】
【考案が解決しようとする課題】
【０００４】
しかし、この包装パックは平面状の透視窓を通して内容物である製品が把握されるため、製品が平面的にしか見えず、製品の演出効果が乏しかった。
【０００５】
本考案の課題は、包装した状態でも製品の演出効果を高めることができる柔軟製品の包装パックを提供することにある。
【課題を解決するための手段および考案の効果】
【０００６】
本考案の柔軟製品の包装パックは、
柔軟製品を収容する箱体とその箱体に収容された前記柔軟製品の一部を外部から視認可能にする開口を備えた柔軟製品の包装パックであって、
前記箱体には、前記開口に装着され、自身の一部が前記開口から外側に膨出し、その開口周囲の前記箱体裏側に他の一部が隠れるように収容される透視性の外カバーと、該外カバーの裏面側であり、その外カバーとは所定の隙間を介して配置され、該外カバーとの間に前記柔軟製品を外側への膨出状態で保持する内カバーと、を備え、
前記外カバーと前記内カバーの間に前記柔軟製品の少なくとも一部を配置して前記箱体に収容することにより、前記箱体の開口から外側へ膨出する前記外カバーの内面に沿って同様に膨出する前記柔軟製品の一部が該外カバーの一部を介して外部から視認されることを特徴とする。
【０００７】
本考案によれば、箱体の開口から外側に膨出する外カバーの内面に沿って同様に膨出した柔軟製品の一部が外カバーの一部を介して視認されるので、包装した状態でも製品に立体感を付加でき、製品の演出効果を高めることができる。
【図面の簡単な説明】
【０００８】
【図１】包装パックに包装するパンツを示す平面模式図。
【図２】図１のパンツを収容する包装パックを示す斜視模式図。
【図３Ａ】図２の包装パックから外カバーと内カバーを取り出した状態を示す斜視模式図。
【図３Ｂ】図３Ａの包装パックの底面を展開した状態を示す斜視模式図。
【図４Ａ】図３Ａの包装パックの外カバーと内カバーを示す分解模式図。
【図４Ｂ】図４Ａの外カバーと内カバーのＡ−Ａ、Ｂ−Ｂ断面模式図。
【図５】パンツを包装パックに包装する流れを説明する説明図。
【図６】図５に続くパンツを包装パックに包装する流れを示す説明図。
【図７】図５及び図６に対応するパンツを包装パックに包装する流れを示す断面説明図。
【図８】柔軟製品の包装パックの例１を示す斜視図。
【図９】柔軟製品の包装パックの例２を示す斜視図。
【図１０Ａ】柔軟製品の包装パックの例３を示す斜視図。
【図１０Ｂ】柔軟製品の包装パックの例３を示す側面図。
【図１１Ａ】柔軟製品の包装パックの例４を示す斜視図。
【図１１Ｂ】柔軟製品の包装パックの例４を示す側面図。
【図１２】柔軟製品の包装パックの例５を示す斜視図。
【考案を実施するための形態】
【０００９】
図１〜図４Ｂは、本考案の柔軟製品の包装パックの例１である包装パックＰ１と包装パックＰ１に包装する柔軟製品を示しており、図１は、柔軟製品の一例として示すパンツＰの平面模式図である。図２は、パンツＰを包装する包装パックＰ１（但し、図２では何も包装されていない）を示す斜視模式図である。包装パックＰ１はパンツＰを収容する箱体１を有し、箱体１には収容されたパンツＰの一部を外部から視認可能にする開口２を備える。
【００１０】
具体的には、図２に示すように、箱体１は直方体形状をなし、その上面１ａには楕円状の開口２が形成され、その側面１ｂにはパンツＰを収容する矩形状の収容口３が形成される。また、開口２から箱体１の外側に一部が膨出し、開口２周囲の箱体１裏面側に他の一部が隠れるように透視性の外カバー４が装着される。
【００１１】
図３Ａは、図２の包装パックＰ１の収容口３から外カバー４を取り出した状態を示す斜視模式図である。外カバー４は、図４Ａ、図４Ｂに示すように、表面の中央部が凸曲面状に膨出する凸部４ａを有する透視性の板状部材（逆に見れば凸部４ａに対応して凸部４ａの裏面側が凹曲面状に形成された凹部４ｂを有する板状部材）である。
【００１２】
外カバー４の裏面側には、その裏面に沿って内カバー５が重なっており、内カバー５は外カバー４に対応するように（ほぼ同大・同形状に）形成される。具体的には、内カバー５は、外カバー４の凹部４ｂに沿うように表面の中央部が凸曲面状に膨出する凸部５ａを有する板状部材（逆に見れば凸部５ａに対応して凸部５ａの裏面側が凹曲面状に形成された凹部５ｂを有する板状部材）であり、凸部５ａを外カバー４の凹部４ｂに嵌め込むことで外カバー４と内カバー５が重なり合う。また、嵌め込みを解消することで両者を分離できる。これら外カバー４及び内カバー５は例えばいずれも透明（無色又は有色）な樹脂製のものである。
【００１３】
次に、包装パックＰ１にパンツＰを包装する方法について図５〜図７に基づき説明する。図５及び図６は、外カバー４と内カバー５の間にパンツＰを配置してパンツＰを箱体１に収容して包装する一例を示したものであり、図７は図５、図６における所定の場面におけるＣ−Ｃ断面図である。先ず、凸部５ａを上にして配置した内カバー５（図５（ａ）、図７（ａ））の凸部５ａを覆うようにパンツＰを被せる（図５（ｂ）、図７（ｂ））。次に、凸部５ａにより隆起したパンツＰの隆起部分を目印とし、内カバー５の凸部５ａに向けて外カバー４の凹部４ｂを嵌め込む（図５（ｃ））ことで、内カバー５と外カバー４の間にパンツＰを挟んだ状態で凸部５ａに凹部４ｂが嵌め込まれる。つまり、外カバー４と内カバー５が所定の隙間（パンツＰの厚み）を介して配置されるため、外カバー４の内面に沿ってパンツＰが外カバー４と同様に膨出して保持される（図７（ｃ））。その状態において、内カバー５の外縁からはみ出たパンツＰのはみ出し部Ｐａを内カバー５の側周面５ｃを経て内カバー５の裏面側に折り返して、はみ出し部Ｐａを内カバー５の裏面側に折り畳む（図６（ｄ）、図７（ｄ））。
【００１４】
そして、はみ出し部Ｐａが折り畳まれ、外カバー４と内カバー５とで挟まれて保持されたパンツＰを、外カバー４及び内カバー５とともに収容口３から箱体１に収容する（図６）。図３Ａに示すように箱体１の収容口３の周囲には、側壁片１ｃと左右の折込片１ｄとが形成され、紙などの変形可能な素材で形成されているから、収容に際して外カバー４と内カバー５を使って折りたたまれたパンツＰを収容口３に向けて押し込むことで、箱体１の収容口３の周囲が外カバー４ーの凸曲面状の凸部４ａにより拡大してその収容を許容した後に、凸部４ａが開口２により係止され、その状態でパンツＰと内カバー５が箱体１に保持される。その後、収容口３の周囲の折込片１ｄを折り曲げ、側壁片１ｃによって収容口３を閉ざすことで、パンツＰは包装パックＰ１に包装される（図６（ｅ）、図７（ｅ））。なお、図３Ｂのように箱体１の底面が底片３ａ、３ｂに分割されるようにして、ここから外カバー４及び内カバー５で保持されたパンツＰを収容した後に底片３ａ、３ｂを閉じて貼り合せるか、図示しない閉じ片をスリットに差し込んで開放を防止してもよい。このように、パンツＰを収容口３に押し込んで収容するのではなく、展開された箱体１に外カバー４と内カバー５で保持されたパンツＰを収容した後に箱体１を組み立てるようにすれば、箱体１を変形させないでパンツＰを収容できる。
【００１５】
以上のようにして包装されたパンツＰは、パンツＰが外カバー４の内面に沿って外カバー４と同様に膨出して保持されるので、透視性の外カバー４（開口２から膨出する部分）を介してパンツＰの一部を外部から視認できるため、パンツＰを包装した状態でもパンツＰに立体感を付加できる。
【００１６】
図７（ｅ）に示すように外カバー４の形状と同様に内カバー５も箱体１の開口２から外側へ膨出する形状を有するため、内カバー５と外カバー４の隙間に保持されるパンツＰが箱体１の外側にせり出す。ここで、包装パックＰ１にパンツＰとともに収容された内カバー５の凸部５ａは、開口２から膨出した外カバー４に沿って形成されるので、パンツＰを外カバー４の形状（凹部４ｂの形状）に沿って挟むように保持し、パンツＰの一部を外カバー４の形状に沿って膨出させ立体感を演出できる。また、内カバー５の凸部５ａの裏面が凹部５ｂとなるため、凹部５ｂが内カバー５の側周面を経て内カバー５の裏面側に折り返されたパンツＰのはみ出し部Ｐａの収納スペースとなり、立体的に収容されるパンツＰをコンパクトに格納できる。
【００１７】
図８に示すように、パンツＰが収容される箱体１に形成される開口２は、箱体１を上から見て楕円状に形成され、外カバー４及び内カバー５も楕円状の凸曲面を備え、これら楕円状凸曲面が箱体１の楕円状の開口２から外側に膨出する。よって、開口２と外カバー４及び内カバー５の凸曲面縁部との間に隙間がほとんど生じないため、カバー４、５と箱体１との一体感が増す。なお、外カバー４が開口２から外側に膨出する部位にパンツＰの着用時に膨出する部位が対応して保持されるようにすることで、パンツＰを包装した状態で使用時のパンツＰの状態を把握することができる。
【００１８】
図９は例２の包装パックＰ２を示す斜視図であり、箱体１の開口２が矩形状に形成されて、矩形状の開口２から楕円状凸曲面の外カバー４及び内カバー５が外側にせり出すため、外カバー４等の膨出ひいてはパンツＰの立体感をより強調できる。
【００１９】
図１０Ａ、図１０Ｂは、例３の包装パックＰ３を示す斜視図、側面図であり、箱体１の開口２が楕円状に形成されて、開口２から楕円錐台状に外カバー４の一部が外側に膨出する。外カバー４（内カバー５も同様）の膨出部の頂面が平面状になるため、複数の包装パックＰ３を重ねた状態で保管又は、陳列し易い利点がある。
【００２０】
図１１Ａ、図１１Ｂは、例４の包装パックＰ４を示す斜視図、側面図であり、箱体１の開口２が矩形状に形成されて、その開口２から四角錐台状に外カバー４の一部が外部に膨出する。楕円状の膨出部に比べてシャープな感覚が生じ、また頂面が平坦とされることで保管や陳列が容易になる。
【００２１】
図１２は、例５の包装パックＰ５を示す斜視図であり、箱体１の開口２が円状に形成されて、開口２から半球状に外カバー４の一部が外部に膨出し、楕円状の膨出部とはまた異なる斬新さがある。
【００２２】
上記の説明では、外カバー４と内カバー５の間にパンツＰの少なくとも一部を配置した包装パックを例示的に説明したが、外カバー４と内カバー５の間にパンツＰの全体を配置してもよい。また、上記の説明では、パンツＰを例示的に説明したが、パンツ等の下着に限らず、被服、タオル等、更には服飾以外の柔軟製品に同様に適用できる。更に、主として１つの開口２から外カバー４が膨出する包装パックを例示的に説明したが、２個、３個又はそれ以上の開口２を組み合わせる場合には、例えば、図１の箱体１において、第２、第３・・・の開口を追加すればよい。
【００２３】
以上、本考案の実施の態様を説明したが、本考案はその具体的な記載に限定されることなく、例示した構成等を技術的に矛盾のない範囲で適宜組み合わせて実施することも可能であるし、またある要素、処理を周知の形態に置き換えて実施することもできる。
【符号の説明】
【００２４】
Ｐ１〜Ｐ５  包装パック      １  箱体
２          開口            ３  収容口
４          外カバー        ５  内カバー
【図１】
0003177661.tif 000003
【図２】
0003177661.tif 000004
【図３Ａ】
0003177661.tif 000005
【図３Ｂ】
0003177661.tif 000006
【図４Ａ】
0003177661.tif 000007
【図４Ｂ】
0003177661.tif 000008
【図５】
0003177661.tif 000009
【図６】
0003177661.tif 000010
【図７】
0003177661.tif 000011
【図８】
0003177661.tif 000012
【図９】
0003177661.tif 000013
【図１０Ａ】
0003177661.tif 000014
【図１０Ｂ】
0003177661.tif 000015
【図１１Ａ】
0003177661.tif 000016
【図１１Ｂ】
0003177661.tif 000017
【図１２】
0003177661.tif 000018